(57)【要約】      （修正有） 【課題】搬送しやすく、現場においても容易に電気盤を搬送しうる据付補助具を提供する。【解決手段】被搬送物の両側に夫々配置される一対の移動式固定部材１２を有する据付補助具１０であって、移動式固定部材は、夫々、互いに接合されることなく独立して設けられ、下方フレーム部１３と、下方フレーム部に上下方向に移動可能に接合された上方フレーム部１４と、下方フレーム部に設けられ、上方フレーム部を上下方向に移動させうる駆動部１５と、上方フレーム部の上端部に設けられ、被搬送物を吊下しうる吊下部とを有し、被搬送物の両側に配置された場合には、結束帯により被搬送物に固定される。【選択図】図１
0003189078.tif 000002
【実用新案登録請求の範囲】
【請求項１】
被搬送物の両側に夫々配置される一対の移動式固定部材を有する据付補助具であって、上記移動式固定部材は、夫々、互いに接合されることなく独立して設けられ、下方フレーム部と、上記下方フレーム部に上下方向に移動可能に接合された上方フレーム部と、上記下方フレーム部に設けられ、上記上方フレーム部を上下方向に移動させうる駆動部と、上記上方フレーム部の上端部に設けられ被搬送物を吊下しうる吊下部とを有し、被搬送物の両側に配置された場合には、結束帯により被搬送物に固定されることを特徴とする据付補助具。
【請求項２】
上記駆動部は、油圧ジャッキにより構成されていることを特徴とする請求項１記載の据付補助具。
【請求項３】
上記吊下部は、上方フレーム部の上端部に設けられたアイボルトにより構成され、被搬送物側に設けられた被吊下部に係合することにより被搬送物を固定することを特徴とする請求項２記載の据付補助具。
【考案の詳細な説明】
【技術分野】
【０００１】
本考案は、据付補助具の改良に関する。
【背景技術】
【０００２】
従来、工場等に設置される電力制御のための受電盤は所定の大きさであって所定の重量があることから、搬送設置を行う場合には、電気盤据付用台車を使用している。
このような電気盤据付用台車としては、従来、例えば、被搬送物である電気盤の両側に配置され、互いに連結部材により結合された台車部を有し、電気盤を吊下しうるように構成されたものがある（特許文献１）。
【０００３】
しかしながら、このような従来の電気盤据付用台車にあっては、一対の台車部が連結部材により結合されていることから、非常に重量が大きく台車そのものの搬送が煩雑である、という不具合があった。
【考案の開示】
【考案が解決しようとする課題】
【０００４】
本考案はこのような従来からの不具合を解決するためのものであって、その課題は、搬送しやすく、現場においても容易に電気盤を搬送しうる据付補助具を提供することにある。
【課題を解決するための手段】
【０００５】
上記課題達成のため、請求項１記載の考案にあっては、被搬送物の両側に夫々配置される一対の移動式固定部材を有する据付補助具であって、上記移動式固定部材は、夫々、互いに接合されることなく独立して設けられ、下方フレーム部と、上記下方フレーム部に上下方向に移動可能に接合された上方フレーム部と、上記下方フレーム部に設けられ、上記上方フレーム部を上下方向に移動させうる駆動部と、上記上方フレーム部の上端部に設けられ、被搬送物を吊下しうる吊下部とを有し、被搬送物の両側に配置された場合には、結束帯により被搬送物に固定されることを特徴とする。
【０００６】
請求項２記載の考案にあっては、上記駆動部は、油圧ジャッキにより構成されていることを特徴とする。
【０００７】
請求項３記載の考案にあっては、上記吊下部は、上方フレーム部の上端部に設けられたアイボルトにより構成され、被搬送物側に設けられた被吊下部に係合することにより被搬送物に固定することを特徴とする。
【考案の効果】
【０００８】
請求項１〜３記載の考案にあっては、従来のように、一対の移動式固定部材が互いに接合されて被搬送物の両側に一対に配置されるようには構成されておらず、夫々、互いに接合されることなく独立して設けられていることから、搬送するための電気盤に固定するために準備する場合にも、各移動式固定部材の重量は小さいことから、従来に比して搬送の準備を行いやすい。その結果、電気盤を移動する作業現場において電気盤の搬送のための組み立てが容易となる。  
また、電気盤の両側に個別に移動式固定部材を個別に設置することができることから、従来に比して搬送作業の施工準備を容易に行うことができる。さらに、全体重量も従来に比して小さいことから、電気盤の搬送作業そのものも容易に行うことができる。
【図面の簡単な説明】
【０００９】
【図１】本考案に係る据付補助具の一実施の形態を示し、各移動式固定部材を示す側面図である。
【図２】本考案に係る据付補助具の一実施の形態を示し、各移動式固定部材を示す側面図である。
【図３】本考案に係る据付補助具の一実施の形態を示し、各移動式固定部材を示す平面図である。
【図４】本考案に係る据付補助具の一実施の形態を示し、各移動式固定部材を被搬送物である電気盤の両側に固定して搬送している状態を示す側面図である。
【考案を実施するための最良の形態】
【００１０】
以下、添付図面に示す実施の形態に基づき、本考案を詳細に説明する。
図１〜図４に示すように、本実施の形態に係る据付補助具１０は、被搬送物である電気盤１１の両側に夫々配置される一対の移動式固定部材１２、１２を有している。
【００１１】
上記移動式固定部材１２、１２は、夫々、互いに接合されることなく独立して設けられ、下方フレーム部１３と、上記下方フレーム部１３に上下方向に移動可能に接合された上方フレーム部１４と、上記下方フレーム部１３に設けられ、上記上方フレーム部１４を上下方向に移動させうる駆動部１５と、上記上方フレーム部１４の上端部に設けられ、被搬送物を吊下しうる吊下部１９とを有している。
【００１２】
移動式固定部材１２、１２は、図１に示すように、側面全体縦長長方形枠状に形成され、下方フレーム部１３の下端部にはキャスター１６が固定されており、床面上を移動可能に形成されている。上方フレーム部１４は下方フレーム部１３に上下動可能に挿通配置されており、下方フレーム部１３の上端部には油圧ジャッキからなる駆動部１５が設けられており、上方フレーム部１４を上下方向に移動可能に構成されている。
【００１３】
図２に示すように、上方フレーム部１４の上端部には、アイボルトからなる吊下部１９が幅方向にそって２個設けられており、電気盤の上端部に設けられた同様の吊下部を構成するアイボルトに合致させ、例えば、固定用バー１７を挿通させることにより各移動式固定部材１２、１２を電気盤１１の両側に接合配置することができる。
【００１４】
その後、搬送する場合には、上記駆動部１５により適宜、電気盤１１を吊下している上方フレーム部１４、１４を上昇させて、電気盤１１を床面から離間させた後、結束帯１８を電気盤１１及び各移動式固定部材１２、１２の幅方向に沿って掛け回して緊締することにより電気盤１１を各移動式固定部材１２、１２に固定し、キャスター１６を利用して床面２０上を移動し適宜搬送を行う。
【００１５】
本考案は、広く所定の重量のある電気盤の搬送に使用することができることから、産業上の利用可能性を有している。
【符号の説明】
【００１６】
１０  据付補助具
１１  電気盤
１２  移動式固定部材
１３  下方フレーム部
１４  上方フレーム部
１５  駆動部
１６  キャスター
１７  固定用バー
１８  結束帯
１９  吊下部
２０  床面
【図１】
0003189078.tif 000003
【図２】
0003189078.tif 000004
【図３】
0003189078.tif 000005
【図４】
0003189078.tif 000006